(57)【要約】  本発明は、Ｈｏｖｅｙｄａ−Ｇｒｕｂｂｓ型のルテニウムベースのメタセシス触媒を指向する。本明細書に記載される新規Ｎ−キレート型ジアリールアミノベースのルテニウム触媒は、固体状態でおよび溶液で安定であり、速い開始挙動を示す。さらに、相当するＮ−置換スチレン前駆体化合物が開示される。これらの触媒は、Ｎ−置換スチレン前駆体から出発する交差メタセシス反応で製造される。これらの新規Ｈｏｖｅｙｄａ−Ｇｒｕｂｂｓ型触媒は、閉環メタセシス（ＲＣＭ）、交差メタセシス（ＣＭ）および開環メタセシス重合（ＲＯＭＰ）を触媒するために好適である。低い触媒使用量が、メタセシス反応によって広範囲の基質を変換するのに十分である。【特許請求の範囲】
【請求項１】
ルテニウムベースの触媒の製造用の式（Ｉ）：
【化１】
2015516868.tif 000014
［式中、
−  ａ、ｂ、ｃおよびｄは、互いに独立して、水素、Ｃ１〜Ｃ１０アルキルを含む直鎖もしくは分岐アルキル基、Ｃ１〜Ｃ１０アルコキシ、Ｃ１〜Ｃ１０アルキルチオ、Ｃ１〜Ｃ１０シリルオキシ、Ｃ１〜Ｃ１０アルキルアミノ、任意に置換されていてもよいＣ６〜Ｃ１４アリール、任意に置換されていてもよいＣ６〜Ｃ１４アリールオキシ、任意に置換されていてもよいＣ６〜Ｃ１４ヘテロアリールまたは電子吸引性基（ＥＷＧ）から選択され；
−  Ｒ１は、直鎖もしくは分岐Ｃ１〜Ｃ１０アルキル、Ｃ１〜Ｃ１０アルコキシ、Ｃ１〜Ｃ１０アルキルカルボニル、Ｃ５〜Ｃ６シクロアルキルまたはＣ６〜Ｃ１４アリール基から選択され；
−  Ｒ２は、水素、Ｃ１〜Ｃ１０アルキルを含む直鎖もしくは分岐アルキル基、Ｃ１〜Ｃ１０アルコキシ、Ｃ１〜Ｃ１０アルキルチオ、Ｃ１〜Ｃ１０シリルオキシ、Ｃ１〜Ｃ１０アルキルアミノ、Ｃ６〜Ｃ１４アリール、Ｃ６〜Ｃ１４アリールオキシ、Ｃ６〜Ｃ１４複素環または電子吸引性基（ＥＷＧ）から選択され；
−  Ｒ３は、水素、直鎖もしくは分岐Ｃ１〜Ｃ１０アルキル基から選択され；
−  Ｒ１とＲ２とは任意選択的に環を形成してもよい］
の化合物。
【請求項２】
前記電子吸引性基が、ハロゲン原子、トリフルオロメチル（−ＣＦ３）、ニトロ（−ＮＯ２）、スルフィニル（−ＳＯ−）、スルホニル（−ＳＯ２−）、ホルミル（−ＣＨＯ）、Ｃ１〜Ｃ１０カルボニル、Ｃ１〜Ｃ１０カルボキシル、Ｃ１〜Ｃ１０アルキルアミド、Ｃ１〜Ｃ１０アミノカルボニル、ニトリル（−ＣＮ）またはＣ１〜Ｃ１０スルホンアミドから選択される、請求項１に記載の化合物。
【請求項３】
−  ａ、ｂ、ｃおよびｄがそれぞれ水素であり；
−  Ｒ１がメチル、エチル、ｎ−プロピル、イソ−プロピル、ｎ−ブチルまたはイソ−ブチルであり；
−  Ｒ２が水素であり；
−  Ｒ３が水素、メチル、エチル、ｎ−プロピル、イソ−プロピル、ｎ−ブチルまたはイソ−ブチルである、
請求項１または２に記載の化合物。
【請求項４】
式（Ｉａ）：
【化２】
2015516868.tif 000015
を有する、請求項３に記載の化合物。
【請求項５】
式（Ｉｂ）：
【化３】
2015516868.tif 000016
を有する、請求項３に記載の化合物。
【請求項６】
式（ＩＩ）：
【化４】
2015516868.tif 000017
［式中
−  Ｌは、中性の２電子供与体配位子であり、
−  ａ、ｂ、ｃおよびｄは、互いに独立して、水素、Ｃ１〜Ｃ１０アルキルを含む直鎖もしくは分岐アルキル基、Ｃ１〜Ｃ１０アルコキシ、Ｃ１〜Ｃ１０アルキルチオ、Ｃ１〜Ｃ１０シリルオキシ、Ｃ１〜Ｃ１０アルキルアミノ、任意に置換されていてもよいＣ６〜Ｃ１４アリール、任意に置換されていてもよいＣ６〜Ｃ１４アリールオキシ、任意に置換されていてもよいＣ６〜Ｃ１４ヘテロアリールまたは電子吸引性基（ＥＷＧ）から選択され；
−  Ｒ１は、直鎖もしくは分岐Ｃ１〜Ｃ１０アルキル、Ｃ１〜Ｃ１０アルコキシ、Ｃ１〜Ｃ１０アルキルカルボニル、Ｃ５〜Ｃ６シクロアルキルまたはＣ６〜Ｃ１４アリール基から選択され；
−  Ｒ２は、水素、Ｃ１〜Ｃ１０アルキルを含む直鎖もしくは分岐アルキル基、Ｃ１〜Ｃ１０アルコキシ、Ｃ１〜Ｃ１０アルキルチオ、Ｃ１〜Ｃ１０シリルオキシ、Ｃ１〜Ｃ１０アルキルアミノ、Ｃ６〜Ｃ１４アリール、Ｃ６〜Ｃ１４アリールオキシ、Ｃ６〜Ｃ１４複素環または電子吸引性基（ＥＷＧ）から選択され；
−  Ｘは、ハロゲンアニオン（Ｃｌ−、Ｂｒ−、Ｉ−）、テトラフルオロボレート（ＢＦ４−）またはアセテート（ＣＨ３ＣＯＯ−）の群から独立して選択されるアニオン性配位子であり；
−  Ｒ１とＲ２とは任意選択的に環を形成してもよい］
のルテニウムベースの触媒。
【請求項７】
前記電子吸引性基が、ハロゲン原子、トリフルオロメチル（−ＣＦ３）、ニトロ（−ＮＯ２）、スルフィニル（−ＳＯ−）、スルホニル（−ＳＯ２−）、ホルミル（−ＣＨＯ）、Ｃ１〜Ｃ１０カルボニル、Ｃ１〜Ｃ１０カルボキシル、Ｃ１〜Ｃ１０アルキルアミド、Ｃ１〜Ｃ１０アミノカルボニル、ニトリル（−ＣＮ）またはＣ１〜Ｃ１０スルホンアミドから選択される、請求項６に記載の触媒。
【請求項８】
Ｌが、Ｎ−複素環カルベン（ＮＨＣ）配位子である、請求項６または７に記載の触媒。
【請求項９】
Ｌが、式（ＩＶ）または（Ｖ）：
【化５】
2015516868.tif 000018
（式中、
Ｒ５は、２，４，６−トリメチルフェニル、２，６−ジ−イソプロピルフェニル、３，５−ジ−第三ブチルブチルフェニル、２−メチルフェニルおよびそれらの組み合わせの群から選択される）
を有するＮ−複素環カルベン配位子である、請求項６〜８のいずれか一項に記載の触媒。
【請求項１０】
−  Ｌが、１，３−ビス−（２，４，６−トリメチルフェニル）−イミダゾリジン−２−イリデン（「ＳＩＭｅｓ」）、１，３−ビス−（２，６−ジ−イソプロピルフェニル）−イミダゾリジン−２−イリデン（「ＳＩＰｒ」）または１，３−ビス−（２，６−ジ−イソプロピルフェニル）−イミダゾリン−２−イリデン（「ＩＰｒ」）の群から選択されるＮＨＣ配位子であり；
−  ＸがＣｌ−であり；
−  ａ、ｂ、ｃおよびｄがそれぞれ水素であり；
−  Ｒ１が、メチル、エチル、ｎ−プロピル、イソ−プロピル、ｎ−ブチルまたはイソ−ブチルであり；
−  Ｒ２が水素である、
請求項６〜９のいずれか一項に記載の触媒。
【請求項１１】
Ｌが、トリ−イソプロピルホスフィン、トリシクロヘキシルホスフィン（ＰＣｙ３）、トリシクロペンチルホスフィン、ならびに、９−シクロヘキシル−９−ホスファ−ビシクロ−［３．３．１］−ノナン（「シクロヘキシルホバン」）、９−（２，２，４−トリメチルペンチル）−９−ホスファ−ビシクロ−［３．３．１］−ノナン（「２，２，４−トリメチルペンチルホバン」）および９−イソブチル−９−ホスファ−ビシクロ−［３．３．１］−ノナン（「イソブチルホバン」）の群から選択されるホスファ−ビシクロアルカン化合物の群から選択されるホスフィン配位子である、請求項６または７に記載の触媒。
【請求項１２】
式（ＩＩａ）：
【化６】
2015516868.tif 000019
を有する、請求項１０に記載の触媒。
【請求項１３】
式（ＩＩｂ）：
【化７】
2015516868.tif 000020
を有する、請求項１０に記載の触媒。
【請求項１４】
式（ＩＩｃ）：
【化８】
2015516868.tif 000021
を有する、請求項１０に記載の触媒。
【請求項１５】
式（ＩＩｄ）：
【化９】
2015516868.tif 000022
を有する、請求項１０に記載の触媒。
【請求項１６】
請求項１〜５のいずれか一項に記載の化合物を、式（ＩＩＩ）：
【化１０】
2015516868.tif 000023
［式中、
−  Ｌは、トリ−イソ−プロピルホスフィン、トリシクロヘキシルホスフィン（ＰＣｙ３）、トリシクロペンチルホスフィン、シクロヘキシル−ホバン、２，２，４−トリメチルペンチルホバンもしくはイソブチルホバンの群から選択されるホスフィン配位子、または、１，３−ビス−（２，４，６−トリメチルフェニル）−イミダゾリジン−２−イリデン（「ＳＩＭｅｓ」）、１，３−ビス−（２，６−ジ−イソプロピルフェニル）−イミダゾリジン−２−イリデン（「ＳＩＰｒ」）もしくは１，３−ビス−（２，６−ジ−イソプロピルフェニル）−イミダゾリン−２−イリデン（「ＩＰｒ」）の群から選択されるＮＨＣ配位子であり、そして
−  Ｌ’は、トリ−イソ−プロピルホスフィン、トリシクロヘキシルホスフィン（ＰＣｙ３）、トリシクロペンチルホスフィン、シクロヘキシル−ホバン、２，２，４−トリメチルペンチル−ホバン、イソブチル−ホバンまたは置換もしくは非置換ピリジンの群からの脱離配位子であり、
−  Ｘは、ハロゲンアニオン（Ｃｌ−、Ｂｒ−、Ｉ−）、好ましくはＣｌ−の群から選択されるアニオン性配位子である］
を有するＲｕ出発化合物と交差メタセシスで反応させる工程を含む、請求項６〜１５のいずれか一項に記載の触媒の製造方法。
【請求項１７】
請求項１〜５のいずれか一項に記載の化合物を、式（ＩＩＩ）：
【化１１】
2015516868.tif 000024
［式中
−  Ｌは、１，３−ビス−（２，４，６−トリメチルフェニル）−イミダゾリジン−２−イリデン（「ＳＩＭｅｓ」）、１，３−ビス−（２，６−ジ−イソプロピルフェニル）−イミダゾリジン−２−イリデン（「ＳＩＰｒ」）または１，３−ビス−（２，６−ジ−イソプロピルフェニル）−イミダゾリン−２−イリデン（「ＩＰｒ」）の群から選択されるＮＨＣ配位子であり、
−  Ｌ’はピリジンであり、
−  ＸはＣｌ−である］
を有するＲｕ出発化合物と交差メタセシス反応で反応させる工程を含む、請求項６〜１０のいずれか一項に記載の触媒の製造方法。
【請求項１８】
閉環メタセシス（ＲＣＭ）、交差メタセシス（ＣＭ）または開環メタセシス重合（ＲＯＭＰ）などのオレフィンメタセシス反応における請求項６〜１５のいずれか一項に記載の触媒の使用。
【請求項１９】
前記オレフィンメタセシスが、０．１モル％未満の触媒使用量および５５℃未満の温度で実施される、オレフィンメタセシス反応における請求項６〜１５のいずれか一項に記載の触媒の使用。
【請求項２０】
前記反応での前記触媒の活性（ターンオーバー頻度、ＴＯＦ）が１×１０４ｈ−１超である、閉環メタセシス（ＲＣＭ）における請求項６〜１５のいずれか一項に記載の触媒の使用。
【発明の詳細な説明】
【技術分野】
【０００１】
本発明は、Ｈｏｖｅｙｄａ−Ｇｒｕｂｂｓ型のルテニウムベースのメタセシス触媒を指向する。本明細書に記載される新規Ｎ−キレート型ジアリールアミノベースのルテニウム触媒は、固体状態でおよび溶液で非常に安定であり、速い開始挙動を示す。さらなる態様では、本発明は、本発明のメタセシス触媒の製造用中間生成物である、新規スチレンベースの前駆体を指向する。これらのスチレンベースの前駆体は、本明細書に記載される新規メタセシス触媒の費用効率が高い、そして直接的な製造を可能にする。本発明はさらに、スチレンベースの前駆体から出発する新規触媒の製造方法を提供し、そしてまたオレフィンメタセシスのための新規触媒の使用にも関する。
【０００２】
本触媒は、閉環メタセシス（ＲＣＭ）、交差メタセシス（ＣＭ）および開環メタセシス重合（ＲＯＭＰ）を触媒するためにとりわけ好適である。本新規触媒系統は、速い触媒開始および高い安定性を、オレフィンメタセシス反応での並外れた活性と組み合わせる。低い触媒使用量が、メタセシス反応によって広範囲の基質を変換するのに十分である。それらは、低いから並の反応温度で短い反応時間内で広範囲の基質の優れた転化率を可能にする。
【背景技術】
【０００３】
オレフィンメタセシス反応用のルテニウムベースの触媒は、先行技術から公知であり、過去１０年にわたってますます重要性を獲得してきた。一般に、オレフィンメタセシス反応は、炭素−炭素二重結合の金属触媒転位を含み、複雑な天然産物およびポリマーの製造においてとりわけ重要である。しかし、かかる反応は、その開始速度によって制限される傾向がある。その結果として、速いオレフィンメタセシス変換は、高められた温度または迅速開始プレ触媒を必要とする。
【０００４】
ルテニウム触媒は、かかる反応を触媒するために特に好適である。これは、様々な官能基に対するそれらの高い安定性および幅広い耐性のためである。それらの最初の導入以来、これらの触媒は、それぞれの配位子の様々な変更によってそれらの安定性および反応性が高められてきた。たとえば、Ｇｒｕｂｂｓ第３世代触媒（式ａを参照されたい）は、開環メタセシス重合（ＲＯＭＰ）による低分散度ポリマーの製造のための広く用いられるツールである。しかし、これらの錯体は、他のメタセシス反応にはめったに用いられてこなかった。これは、高い反応条件下での触媒の並の安定性に起因する。
【化１】
2015516868.tif 000002
【０００５】
先行技術から公知の式（ｂ）のＨｏｖｅｙｄａ−Ｇｒｕｂｂｓ型触媒の開始速度は、式（ａ）のＧｒｕｂｂｓ第３世代触媒と比べて劇的により遅い。より最近の開発で、この開始速度は、水素を５−ニトロ基（式ｃ）で置き換えることによってわずかに向上した。
【化２】
2015516868.tif 000003
【０００６】
エーテル酸素供与体の代わりにアミン配位子を持った類似のメタセシス触媒がＳｌｕｇｏｖｃらによって報告されている。しかし、イミン官能性を持った報告触媒は、室温で非常に遅い開始速度で特徴づけられる。それらは、約１１０℃の高められた温度での開環メタセシス重合反応用の潜在性触媒として用いることができる（Ｓｌｕｇｏｖｃ，Ｃ．，Ｂｕｔｓｃｈｅｒ，Ｄ．，Ｓｔｅｌｚｅｒ，Ｆ．，Ｍｅｒｅｉｔｅｒ，Ｋ．，Ｏｒｇａｎｏｍｅｔａｌｌｉｃｓ  ２００５，２４，２２５５−２２５８を参照されたい）。
【０００７】
酸素、窒素、硫黄、セレンおよびリンをキレート原子として提案する、様々なオレフィンメタセシス触媒がまた、Ｌｅｍｃｏｆｆらによって報告されている。キノキサリンベースの触媒およびＮ，Ｎ−ジエチル誘導体が、Ｎ−キレート型触媒として提示されている。しかし、これらの触媒の活性は評価されていない（Ｄｉｅｓｅｎｄｒｕｃｋ，Ｃ．Ｅ．，Ｔｚｕｒ，Ｅ．，Ｂｅｎ−Ａｓｕｌｙ，Ａ．，Ｇｏｌｄｂｅｒｇ，Ｉ．，Ｓｔｒａｕｂ，Ｂ．Ｆ．，Ｌｅｍｃｏｆｆ，Ｎ．Ｇ．，Ｉｎｏｒｇ．Ｃｈｅｍ．２００９，４８，１０８１９−１０８２５を参照されたい）。
【０００８】
Ｇｒｅｌａらは、キレート窒素原子を有するピリジンベースのルテニウム触媒を報告している。これらの触媒は、周囲条件で安定であり、閉環メタセシスおよび開環メタセシス重合を触媒するために使用されている。メタセシスは、８０℃で十分な収率を得るために５モル％の触媒使用量で２４〜４８時間トルエン中で実施されている。より低い触媒使用量は、有意に低下した転化率をもたらした（Ｓｚａｄｋｏｗｓｋａ，Ａ．，Ｇｓｔｒｅｉｎ，Ｘ．，Ｂｕｒｔｓｃｈｅｒ，Ｄ．，Ｊａｒｚｅｍｂｓｋａ，Ｋ．，Ｗｏｚｎｉａｋ，Ｋ．，Ｓｌｕｇｏｖｃ，Ｃ．，Ｇｒｅｌａ，Ｋ．，Ｏｒｇａｎｏｍｅｔａｌｌｉｃｓ  ２０１０，２９，１１７−１２４を参照されたい）。
【０００９】
さらなるＨｏｖｅｙｄａ−Ｇｒｕｂｂｓ型ルテニウム触媒が、Ｌｅｍｃｏｆｆ、Ｔｚｕｒらによって製造されている。合成されたピロリジンベースの触媒は、閉環メタセシスおよび交差メタセシスに対して活性を示した。反応は、１モル％の触媒使用量で２４時間トルエン中で実施された。２４時間の反応時間が十分な収率を得るために必要であった。２〜６時間後に、最終生成物の収率は約２４〜５５％に専ら達した。より低い触媒使用量は、より長い反応時間を必要とした（Ｔｚｕｒ，Ｅ．，Ｓｚａｄｋｏｗｓｋａ，Ａ．，Ｂｅｎ−Ａｓｕｌｙ，Ａ．，Ｍａｋａｌ，Ａ．，Ｇｏｌｄｂｅｒｇ，Ｉ．，Ｗｏｚｎｉａｋ，Ｋ．，Ｇｒｅｌａ，Ｋ．，Ｌｅｍｃｏｆｆ，Ｎ．Ｇ．，Ｃｈｅｍ．Ｅｕｒ．Ｊ．２０１０，１６，８７２６−８７３７を参照されたい）。
【００１０】
アミンキレート配位子を含有するルテニウム触媒がまた、Ｇｒｅｌａらによって報告されている（Ｚｕｋｏｗｓｋａ，Ｋ．，Ｓｚａｄｋｏｗｓｋａ，Ａ．，Ｐａｚｉｏ，Ａ．Ｅ．，Ｗｏｚｎｉａｋ，Ｋ．，Ｇｒｅｌａ，Ｋ．，Ｏｒｇａｎｏｍｅｔａｌｌｉｃｓ  ２０１２，３１，４６２−４６９）。これらの触媒は、水素原子を有するキレート窒素と、メチル、ベンジルまたは４−ニトロベンジルから選択されてもよい、付属基とを含む。１モル％または５モル％という高い触媒使用量が、閉環メタセシスによって基質を転化させるために使用される。８０℃の反応温度が、６〜８時間の反応時間後に十分に高い収率を得るために必要である。これらの触媒は、周囲温度ではいかなる目立った活性も示さない。それらの潜在性のために、それらは「熱的に切替可能な」挙動を示し、熱開始工程を必要とする合成で用いられてもよい。
【００１１】
したがって、先行技術から公知の触媒は一般に、遅い開始速度という欠点を有する。こうして、高められた反応温度が反応生成物の十分な収率を得るために必要である。さらに、数時間の反応時間ならびに並のから高い触媒使用量が、原則として、所望の転化率を確保するために必要である。このように、先行技術から公知の触媒は通常、低いから並の活性を有する。
【発明の概要】
【発明が解決しようとする課題】
【００１２】
先行技術から公知のメタセシス触媒の欠点を克服することが本発明の一目的である。こうして、安定した、迅速開始Ｈｏｖｅｙｄａ−Ｇｒｕｂｂｓ型メタセシス触媒が本発明によって提供される。さらに、本発明の触媒の合成に好適である、新規配位子前駆体が提示される。もっとさらに、本発明はまた、本明細書に報告される相当する前駆体から出発する新規触媒の製造方法を提供する。
【００１３】
新規Ｈｏｖｅｙｄａ−Ｇｒｕｂｂｓ型触媒は、低い触媒使用量でさえも最終生成物の高収率でオレフィンメタセシス反応を触媒するために好適であるべきである。本触媒はまた、短い反応時間内で低いから並みの温度下にオレフィンメタセシス反応を触媒することができるべきである。このように、本触媒は、当該技術から公知の触媒の活性と比べて増加した触媒活性を有するべきである。本触媒は、広範囲の様々な基質の異なるタイプのオレフィンメタセシス反応を触媒するために好適であるべきである。最後に、本Ｈｏｖｅｙｄａ−Ｇｒｕｂｂｓ型触媒は、特別な予防措置を講じることなくＳｃｈｌｅｎｋ技法などの標準不活性技法下でメタセシス反応を可能にさせるべきである。
【課題を解決するための手段】
【００１４】
本発明の目的は、特許請求の範囲の主題によって解決される。本目的は、新規Ｈｏｖｅｙｄａ−Ｇｒｕｂｂｓ型触媒の提供によっておよびそれらの製造用の新規スチレンベースの配位子前駆体の提供によってとりわけ解決される。
【００１５】
本触媒は、単一反応段階での公知のＲｕ−ベンジリデンまたはＲｕ−インデニリデン錯体との交差メタセシス反応によって配位子前駆体から出発して得られる。これは、高純度および高収率で生成物をもたらす費用効率が高い、そして時間節約的な製造ルートを確実にする。本発明のＨｏｖｅｙｄａ−Ｇｒｕｂｂｓ型触媒は、低い触媒使用量および低いから並みの温度でさえも秀でた活性でオレフィンメタセシス反応を触媒するためにとりわけ好適である。
【００１６】
本発明のルテニウムベースのメタセシス触媒の製造用のスチレンベースの前駆体は、式（Ｉ）
【化３】
2015516868.tif 000004
（式中、
−  ａ、ｂ、ｃおよびｄは、互いに独立して、水素、Ｃ１〜Ｃ１０アルキルなどの直鎖もしくは分岐アルキル基、Ｃ１〜Ｃ１０アルコキシ、Ｃ１〜Ｃ１０アルキルチオ、Ｃ１〜Ｃ１０シリルオキシ、Ｃ１〜Ｃ１０アルキルアミノ、任意に置換されていてもよいＣ６〜Ｃ１４アリール、任意に置換されていてもよいＣ６〜Ｃ１４アリールオキシ、任意に置換されていてもよいＣ６〜Ｃ１４ヘテロアリールまたは電子吸引性基（ＥＷＧ）から選択され；
−  Ｒ１は、直鎖もしくは分岐Ｃ１〜Ｃ１０アルキル、Ｃ１〜Ｃ１０アルコキシ、Ｃ１〜Ｃ１０アルキルカルボニル、Ｃ５〜Ｃ６シクロアルキルまたはＣ６〜Ｃ１４アリール基から選択され；
−  Ｒ２は、水素、Ｃ１〜Ｃ１０アルキルなどの直鎖もしくは分岐アルキル基、Ｃ１〜Ｃ１０アルコキシ、Ｃ１〜Ｃ１０アルキルチオ、Ｃ１〜Ｃ１０シリルオキシ、Ｃ１〜Ｃ１０アルキルアミノ、Ｃ６〜Ｃ１４アリール、Ｃ６〜Ｃ１４アリールオキシ、Ｃ６〜Ｃ１４複素環または電子吸引性基（ＥＷＧ）から選択され；
−  Ｒ３は、水素、直鎖もしくは分岐Ｃ１〜Ｃ１０アルキル基から選択され；
そしてここで、Ｒ１およびＲ２は、環を任意選択的に形成してもよい）
で特徴づけられる。
【００１７】
好ましくは、Ｒ１は、直鎖もしくは分岐Ｃ１〜Ｃ１０アルキル基である。さらに好ましいバージョンでは、Ｒ１は、メチル、エチル、ｎ−プロピル、イソ−プロピル、ｎ−ブチルまたはイソ−ブチルから選択される。別の好ましいバージョンでは、Ｒ１は、メチル、エチルまたはイソ−プロピルから選択される。最も好ましい実施形態では、Ｒ１はメチル基である。
【００１８】
Ｒ２は、アリール基での置換基である。アリール基でのＲ２置換基の位置は、特に決定的に重要であるわけではない。好ましい実施形態では、Ｒ２は水素である。代わりの実施形態では、Ｒ１およびＲ２は環を形成してもよい。
【００１９】
ＥＷＧは、隣接原子から電子密度を吸引する原子または官能基である。好適な電子吸引性基は、ハロゲン原子、トリフルオロメチル（−ＣＦ３）、ニトロ（−ＮＯ２）、スルフィニル（−ＳＯ−）、スルホニル（−ＳＯ２−）、ホルミル（−ＣＨＯ）、Ｃ１〜Ｃ１０カルボニル、Ｃ１〜Ｃ１０カルボキシル、Ｃ１〜Ｃ１０アルキルアミド、Ｃ１〜Ｃ１０アミノカルボニル、ニトリル（−ＣＮ）またはＣ１〜Ｃ１０スルホンアミド基から選択される。
【００２０】
Ｒ３は、水素または直鎖もしくは分岐Ｃ１〜Ｃ１０アルキル基から選択される。好ましくは、Ｒ３は、水素、メチル、エチル、ｎ−プロピル、イソ−プロピル、ｎ−ブチルまたはイソ−ブチルである。最も好ましいバージョンでは、Ｒ３は水素またはメチルである。
【００２１】
好ましくは、ａ、ｂ、ｃおよびｄは、互いに独立して、水素、Ｃ１〜Ｃ１０アルキルなどの直鎖もしくは分岐アルキル基、Ｃ１〜Ｃ１０アルコキシまたは電子吸引性基（ＥＷＧ）から選択される。好ましい実施形態では、ａ、ｂ、ｃおよびｄはそれぞれ水素である。
【００２２】
さらに好ましい実施形態によれば、新規系統のルテニウムベースのカルベン触媒の製造用のスチレンベースの前駆体は、式（Ｉａ）：
【化４】
2015516868.tif 000005
で特徴づけられる。
【００２３】
代わりの実施態様によれば、この前駆体は、式（Ｉｂ）：
【化５】
2015516868.tif 000006
で特徴づけられる。
【００２４】
オルト−ビニル置換アルキルジフェニルアミンは、ｎ−ＢｕＬｉでの直接オルト金属化によって製造される。本新規スチレンベースの前駆体は、Ｗｉｔｔｉｇ試薬との反応によって相当するベンズアルデヒド中間体から得られてもよい。この反応条件は、実施例セクションに例示的に提示される。前駆体の、特に相当するベンズアルデヒド中間体の製造のための条件は、製造有機化学の技術分野の当業者にはよく知られている。
【００２５】
本発明のＨｏｖｅｙｄａ−Ｇｒｕｂｂｓ型触媒は、２つのアリール基がキレート窒素原子に直接結合していることを特徴とする。これらの新規Ｎ−キレート型ジアリールアミノベースの触媒は、式（ＩＩ）：
【化６】
2015516868.tif 000007
（式中、
−  Ｌは、中性２電子供与体配位子であり、
−  ａ、ｂ、ｃおよびｄは、互いに独立して、水素、Ｃ１〜Ｃ１０アルキルなどの直鎖もしくは分岐アルキル基、Ｃ１〜Ｃ１０アルコキシ、Ｃ１〜Ｃ１０アルキルチオ、Ｃ１〜Ｃ１０シリルオキシ、Ｃ１〜Ｃ１０アルキルアミノ、任意に置換されていてもよいＣ６〜Ｃ１４アリール、任意に置換されていてもよいＣ６〜Ｃ１４アリールオキシ、任意に置換されていてもよいＣ６〜Ｃ１４ヘテロアリールまたは電子吸引性基（ＥＷＧ）から選択され；
−  Ｒ１は、直鎖もしくは分岐Ｃ１〜Ｃ１０アルキル、Ｃ１〜Ｃ１０アルコキシ、Ｃ１〜Ｃ１０アルキルカルボニル、Ｃ５〜Ｃ６シクロアルキルまたはＣ６〜Ｃ１４アリール基から選択され；
−  Ｒ２は、水素、Ｃ１〜Ｃ１０アルキルなどの直鎖もしくは分岐アルキル基、Ｃ１〜Ｃ１０アルコキシ、Ｃ１〜Ｃ１０アルキルチオ、Ｃ１〜Ｃ１０シリルオキシ、Ｃ１〜Ｃ１０アルキルアミノ、Ｃ６〜Ｃ１４アリール、Ｃ６〜Ｃ１４アリールオキシ、Ｃ６〜Ｃ１４複素環または電子吸引性基（ＥＷＧ）から選択され；
−  Ｘは、ハロゲンアニオン（すなわち、クロリド、ブロミドもしくはヨージド）、テトラフルオロボレート（ＢＦ４−）またはアセテート（ＣＨ３ＣＯＯ−）の群から独立して選択されるアニオン性配位子であり；
−  そしてここで、Ｒ１およびＲ２は、環を任意選択的に形成してもよい）
で表される。
【００２６】
この式中、Ｌは、中性２電子供与体配位子を表している。一般に、中性２電子供与体配位子は、ホスフィン配位子の群およびＮ−複素環カルベン配位子（ＮＨＣ配位子）の群から選択される。好ましくは、中性２電子供与体配位子は、Ｎ−複素環カルベン配位子（ＮＨＣ配位子）の群から選択される。
【００２７】
ホスフィン配位子は、トリ−イソ−プロピルホスフィン、トリシクロヘキシルホスフィン（ＰＣｙ３）およびトリシクロペンチルホスフィンなどのアルキルホスフィンの群から選択されてもよい。さらに、ホスフィン配位子は、９−ホスファビシクロ−［３．３．１］ノナンまたは９−ホスファビシクロ−［４．２．１］ノナンなどのホスファ−ビシクロアルカン化合物（「ホバン」とも命名される）であってもよい。好ましくは、ホスファ−ビシクロアルカン化合物は、９−シクロヘキシル−９−ホスファ−ビシクロ−［３．３．１］−ノナン（「シクロヘキシルホバン」）、９−（２，２，４−トリメチルペンチル）−９−ホスファ−ビシクロ−［３．３．１］−ノナン（２，２，４−トリメチルペンチルホバン」）および９−イソブチル−９−ホスファ−ビシクロ−［３．３．１］−ノナン（「イソブチルホバン」）の群から選択される。
【００２８】
好ましい実施形態では、Ｌは、Ｎ−複素環カルベン配位子（ＮＨＣ配位子）である。本発明によれば、ＮＨＣ配位子は、ルテニウムに対して優れた２電子供与体配位子として働く安定した一重項カルベンを含むＮ−含有複素環化合物である。ＮＨＣ配位子は、少なくとも１個の窒素原子および炭素原子を環原子として含む。少なくとも１個の窒素環原子は、複素環構造の部分ではないさらなる部分に結合している。ＮＨＣ配位子は、少なくとも２個の窒素原子を環原子として好ましくは含み、飽和であっても不飽和であってもよい。
【００２９】
Ｎ−複素環カルベン配位子は、式（ＩＶ）または（Ｖ）：
【化７】
2015516868.tif 000008
から好ましくは選択される。
【００３０】
式（ＩＶ）および（Ｖ）中、Ｒ５は、２，４，６−トリメチルフェニル（「メシチル」）、２，６−ジ−イソプロピルフェニル、３，５−ジ−第三ブチルフェニルおよび２−メチルフェニルならびにそれらの組み合わせから選択される置換アリール基である。
【００３１】
好ましくは、ＮＨＣ配位子は、１，３−ビス−（２，４，６−トリメチルフェニル）−イミダゾリジン−２−イリデン（「ＳＩＭｅｓ」）、１，３−ビス−（２，６−ジ−イソプロピルフェニル）−イミダゾリジン−２−イリデン（「ＳＩＰｒ」）または１，３−ビス−（２，６−ジ−イソプロピルフェニル）−イミダゾリン−２−イリデン（不飽和ＮＨＣ、「ＩＰｒ」）の群から選択される。
【００３２】
Ｘは、好ましくは、クロリド、ブロミドもしくはヨージドなどのハロゲンアニオンの群からの、アニオン性配位子であり；最も好ましい実施形態では、ＸはＣｌ−である。
【００３３】
置換基Ｒ１、Ｒ２ならびに基ａ、ｂ、ｃおよびｄならびにＥＷＧ置換基は、式（Ｉ）のスチレンベースの前駆体について上に記載されたように定義される。好ましくは、Ｒ１は直鎖もしくは分岐Ｃ１〜Ｃ１０アルキル基である。さらに好ましいバージョンでは、Ｒ１は、メチル、エチル、ｎ−プロピル、イソ−プロピル、ｎ−ブチルまたはイソ−ブチルから選択される。別の好ましいバージョンでは、Ｒ１は、メチル、エチルまたはイソ−プロピルから選択される。最も好ましい実施形態では、Ｒ１はメチル基である。Ｒ２は、アリール基での置換基である。アリール基でのＲ２置換基の位置は、特に決定的に重要であるわけではない。好ましい実施形態では、Ｒ２は水素である。代わりの実施形態では、Ｒ１およびＲ２は環を形成してもよい。
【００３４】
Ｒ３は、水素または直鎖もしくは分岐Ｃ１〜Ｃ１０アルキル基から選択される。好ましくは、Ｒ３は、水素、メチル、エチル、ｎ−プロピル、イソ−プロピル、ｎ−ブチルまたはイソ−ブチルである。最も好ましいバージョンでは、Ｒ３は水素またはメチルである。
【００３５】
好ましくは、ａ、ｂ、ｃおよびｄは、互いに独立して、水素、Ｃ１〜Ｃ１０アルキルなどの直鎖もしくは分岐アルキル基、Ｃ１〜Ｃ１０アルコキシまたは電子吸引性基（ＥＷＧ）から選択される。さらに好ましい実施形態では、ａ、ｂ、ｃおよびｄはそれぞれ水素である。
【００３６】
特有の実施形態では、Ｎ−キレート型ジアリールアミノベースの触媒は、式（ＩＩａ）：
【化８】
2015516868.tif 000009
で特徴づけられる。
【００３７】
さらに特有の実施形態では、Ｎ−キレート型ジアリールアミノベースの触媒は、式（ＩＩｂ）：
【化９】
2015516868.tif 000010
で特徴づけられる。
【００３８】
さらに特有の実施形態では、Ｎ−キレート型ジアリールアミノベースの触媒は、式（ＩＩｃ）および式（ＩＩｄ）：
【化１０】
2015516868.tif 000011
で特徴づけられる。
【００３９】
上記のＮ−キレート型ジアリールアミノベースのＲｕ触媒に加えて、本発明はまた、これらの新規触媒の製造方法にも関する。一般に、本触媒は、単一段階反応によって式（Ｉ）の新規前駆体から得られる。本発明による単一段階反応は、中間単離または中間精製工程を必要とすることなく進行する反応（ワンポット合成）である。
【００４０】
一般式Ｌ２Ｘ２Ｒｕ＝ＣＲｘＲｙ（式中、ＲｘおよびＲｙは独立して、水素、アルキルまたはアリールであってもよく、そして式中、ＲｘおよびＲｙは環を形成してもよい）の様々なＲｕベースの出発錯体を、本発明の触媒の製造用出発原料として用いることができる。好適なＲｕベースの出発錯体の例は、（ホスフィン配位子を含有する）Ｇｒｕｂｂｓ第１世代の周知のＲｕ−ベンジリデン錯体または（ＮＨＣ配位子を含有する）Ｇｒｕｂｂｓ第２世代Ｒｕ−錯体である。
【００４１】
本発明の好ましい方法では、式（Ｉ）の前駆体は、式（ＩＩ）の触媒を得るために交差メタセシス反応で式（ＩＩＩ）のＲｕ−フェニルインデニリデン錯体と反応させられる。
【化１１】
2015516868.tif 000012
スキーム１
【００４２】
式（ＩＩＩ）のＲｕ−出発錯体において、Ｌは、トリ−イソプロピルホスフィン、トリシクロヘキシルホスフィン（ＰＣｙ３）、トリシクロペンチルホスフィンならびに９−シクロヘキシル−９−ホスファ−ビシクロ−［３．３．１］−ノナン（「シクロヘキシルホバン」）、９−（２，２，４−トリメチルペンチル）−９−ホスファ−ビシクロ−［３．３．１］−ノナン（２，２，４−トリメチルペンチルホバン」）および９−イソブチル−９−ホスファ−ビシクロ−［３．３．１］−ノナン（「イソブチルホバン」）などのホスファ−ビシクロアルカン化合物の群から選択されるホスフィン配位子であってもよい。
【００４３】
本方法の好ましいバージョンでは、Ｌは、１，３−ビス−（２，４，６−トリメチルフェニル）−イミダゾリジン−２−イリデン（「ＳＩＭｅｓ」）、１，３−ビス−（２，６−ジ−イソプロピルフェニル）−イミダゾリジン−２−イリデン（「ＳＩＰｒ」）または１，３−ビス−（２，６−ジ−イソプロピルフェニル）−イミダゾリン−２−イリデン（不飽和ＮＨＣ、「ＩＰｒ」）の群から選択されるＮＨＣ配位子である。
【００４４】
さらに、上式（ＩＩＩ）のＲｕ−出発錯体において、Ｌ’は、トリ−イソプロピルホスフィン、トリシクロヘキシルホスフィン（ＰＣｙ３）、トリシクロペンチルホスフィン、９−シクロヘキシル−９−ホスファ−ビシクロ−［３．３．１］−ノナン（「シクロヘキシルホバン」）、９−（２，２，４−トリメチルペンチル）−９−ホスファ−ビシクロ−［３．３．１］−ノナン（２，２，４−トリメチルペンチルホバン」）、９−イソブチル−９−ホスファ−ビシクロ−［３．３．１］−ノナン（「イソブチルホバン」）の群から選択されるホスフィン配位子または、置換されていても非置換であってもよい、ピリジン配位子を表す脱離配位子である。例は、ピリジンまたはブロモピリジンである。
【００４５】
Ｘは、好ましくは、クロリド、ブロミドもしくはヨージドなどのハロゲンアニオンの群からの、アニオン性配位子であり；最も好ましい実施形態では、ＸはＣｌ−である。
【００４６】
使用されるＲｕ−出発錯体に依存して、交差メタセシス反応のための反応条件は修正されてもよく；特に、Ｃｕ−塩（ＣｕＣｌまたはＣｕＢｒなどの）が、たとえば、（ＰＣｙ３）２Ｃｌ２Ｒｕ−フェニルインデニリデンなどのホスフィン含有Ｒｕ−出発錯体を使用するときにはホスフィン捕捉剤として添加されてもよい。しかし、脱離配位子Ｌ’がホスフィンでない場合には、Ｃｕ−塩の添加は必要でないことが指摘されるべきである。
【００４７】
本方法のさらに好ましいバージョンでは、たとえば（ＳＩＭｅｓ）（ｐｙ）ＲｕＣｌ２（３−フェニルインデニリデ−１−ン）［Ｕｍｉｃｏｒｅ  Ｍ３１］または（ＳｉＰｒ）（ｐｙ）ＲｕＣｌ２（３−フェニルインデニリデ−１−ン）［Ｕｍｉｃｏｒｅ  Ｍ３２］などの、脱離配位子Ｌ’＝ピリジン（ｐｙ）のＲｕ−出発錯体が用いられてもよい。所望の錯体の形成を容易にするために、ピリジン配位子は、（国際公開第２０１１／０９１９８０号パンフレットに記載されている方法に従って）プロトンイオン交換樹脂でのインサイチュープロトン化によって除去することができる。さらに向上した収率が得られる。
【００４８】
交差メタセシス反応は、ジクロロメタン（ＤＣＭ）、クロロホルムもしくは１，２−ジクロロエタン（ＤＣＥ）などの塩素化炭化水素溶媒中でまたはテトラヒドロフラン（ＴＨＦ）もしくはジオキサンなどの環状エーテル中で行われてもよい。あるいは、ベンゼンもしくはトルエンなどの芳香族炭化水素溶媒ならびにエステルおよびリストされた溶媒の混合物が用いられてもよい。最も好ましくは、精製トルエンが反応溶媒として使用される。
【００４９】
好適な反応時間は、出発原料のタイプに依存する。典型的には、反応時間は、０．５〜４時間、好ましくは０．５〜２時間、最も好ましくは０．５〜１．５時間の範囲にある。反応温度は、原料に依存して変わってもよい。典型的には、５０〜１００℃の範囲の、好ましくは５０〜８０℃の範囲の反応温度が適切である。６５〜８０℃の範囲の温度が、ある場合には、触媒の相当するシス−ジクロロ異性体（トランス−異性体と比べてより低い触媒活性を有する）の形成が回避され得るので、特に好ましい。反応は、窒素もしくはアルゴンなどの不活性ガス下で好ましくは実施される。
【００５０】
反応混合物を一定時間攪拌した後、反応溶媒が好ましくは真空で除去される。残った反応混合物はさらに精製されてもよい。これは、カラムクロマトグラフィーによって好ましくは行われる。生じた生成物は、高純度のＲｕ−触媒を得るために非極性炭化水素溶剤から再結晶されてもよい。この非極性炭化水素溶剤は、ｎ−ペンタン、シクロヘキサン、ｎ−ヘキサン、ｎ−ヘプタンまたはそれらの混合物から選択されてもよい。生じた触媒は、好ましくは濾過によって分離される。さらなる精製工程が行われてもよい。生成物は、たとえば、非極性炭化水素溶剤で洗浄されてもよい。一般に、本発明のＲｕ−触媒は、高純度で良好な収率で得ることができる。
【００５１】
Ｎ−キレート型ジアリールアミノルテニウム触媒は、広範囲の基質でのメタセシス反応を触媒するために使用されてもよい。既に記載されたように、これらの触媒は、閉環メタセシス（ＲＣＭ）、交差メタセシス（ＣＭ）、開環メタセシス重合（ＲＯＭＰ）および他のメタセシス反応を触媒するために特に好適である。一般に、メタセシス反応は、均一相で行われる。あるいは、反応は、固定化または担持触媒を使って不均一なやり方で；たとえばカチオン交換樹脂の存在下で実施されてもよい。メタセシス反応のための反応条件は、当業者によく知られている。反応は、たとえば、ジクロロエテン、ヘキサフルオロベンゼンまたはトルエンであってもよい、好適な反応溶媒中で実施される。好ましくは反応溶媒はトルエンを含む。最も好ましくは有機溶媒はトルエンである。好ましくは、メタセシス反応は、窒素もしくはアルゴンなどの保護不活性ガス下で行われる。
【００５２】
本発明のＲｕ−触媒は、６０℃よりも下の反応温度を可能にする。実施例セクションに示されるように、反応温度は、２０〜３０℃まで下げられてもよく；これらの温度は、完全な転化のために既に十分である。かかる低温は、温度感受性基質材料を用いるときには重要である。
【００５３】
さらに、本発明のＲｕ−触媒は、低い触媒使用量を可能にする。ある反応では、触媒使用量は、１０００ｐｐｍ、すなわち、０．１モル％を超えない。２５０ｐｐｍよりも低い、好ましくは１００ｐｐｍよりも低い触媒使用量が、費用効率が高いメタセシス反応を確保しながら高転化率を得るために十分であると分かった。
【００５４】
本発明のＲｕ−触媒は、短い反応時間でのメタセシス反応を可能にする。典型的には、実施例セクションに示されるように、基質の６５％超が１５分後に転化される。これは、公知の方法によって、好ましくはガスクロマトグラフィー（ＧＣ）によって測定される。ほとんどの場合に７０％以上の、好ましくは７５％以上の転化率が、上述の条件下に少なくとも１５分の反応時間後に本発明の触媒で得られる。様々なメタセシス反応で、転化率は、１５分の反応時間後に９３％または９５％さえに達する。ある場合には、８８％超、より好ましくは９０％以上の単離最終生成物の収率を得ることができる。
【００５５】
本発明の触媒は、速い開始速度を示し、こうして優れた触媒活性を持ちながら速い、かつ、効率的なオレフィンメタセシス反応につながる。好ましくは５×１０３超、好ましくは８×１０３超、最も好ましくは１×１０４超のＴＯＮ（「ターンオーバー数」；すなわち、転化基質対触媒のモル比）が本発明の新規触媒系統で得られ得る。触媒活性についての尺度であるＴＯＦ（１時間当たりのＴＯＮ；ターンオーバー頻度）は、最高で１×１０４ｈ−１超、好ましくは８×１０４ｈ−１超、最も好ましくは１×１０５ｈ−１超までに達する。
【００５６】
キレート窒素原子に結合した置換基の立体効果と電子効果との間で適正なバランスを提供することが本発明の触媒の活性を調整するために必要であることが分かった。したがって、式（ｂ）および（ｃ）のルテニウムベースの触媒と比べて本触媒の優れた活性は、Ｎ−原子に結合したアリール部分によるキレート窒素原子の特有の塩基性に由来する可能性があると思われる。ベンジリデンアミン配位子におけるＮ−供与体原子の性質のこの修正は、Ｒｕ−Ｎ相互作用の弱化の一因となり、その結果として触媒の開始速度の著しい増加をもたらし得る。現在まで、かかるＮ−キレート型ジアリールアミノ−Ｒｕ触媒は文献に記載されていない。
【００５７】
要約すれば、本発明の触媒は、速い触媒開始および高い安定性を、オレフィンメタセシス反応での並外れた活性と組み合わせる。低い触媒使用量が、短い反応時間内でそして低いから並の反応温度で最終生成物の優れた収率を得るために十分である。
【００５８】
本新規触媒は、一段階反応で新規前駆体から高純度および高収率で得られるので、それらは、工業的規模で経済的に製造することができる。
【図面の簡単な説明】
【００５９】
【図１】０．１モル％（１０００ｐｐｍ）の式（ＩＩａ）、（ｂ）および（ｃ）の触媒を使用するトルエン中で０℃のＲＣＭ反応中のジアリル−Ｎ−トシルアミド（０．１モル／Ｌ）の転化率（％単位での）を示す。
【図２】１０００ｐｐｍの式（ＩＩａ）、（ｂ）および（ｃ）の触媒を使用するトルエン中で２０℃でのＤＥＤＡＭ（０．１モル／Ｌ）の転化率（％単位での）を示す。
【図３】錯体（ＩＩａ）の結晶構造のＯＲＴＥＰプロットを示す。重要な結合長さ（ｐｍ）および角度（°）は：Ｒｕ−Ｎ  ２３４．７（４）、Ｒｕ−ＣＨＡｒ  １８２．６（５）、Ｒｕ−Ｃ（ＮＨＣ）  ２０１．４（５）、Ｒｕ−Ｃｌ  ２３４．０（１）、２３５．０（１）、Ｃｌ−Ｒｕ−Ｃｌ  １６２．５８（６）、Ｎ−Ｒｕ−Ｃ（ＮＨＣ）  １７５．５３（１５）である。
【発明を実施するための形態】
【００６０】
本発明は、保護の範囲を制限するまたは狭くすることなく以下の実施例によってさらに説明される。
【００６１】
概論
すべての化学薬品は、特に明記しない限り、商業供給業者から試薬グレードとして購入し、さらなる精製なしに使用した。ルテニウム錯体を含むすべての反応は、窒素の雰囲気下で行った。ＣＨ２Ｃｌ２（９９．５）およびペンタン（９９）はＧｒｕｅｓｓｉｎｇ  ＧｍｂＨから、トルエンはＳｉｇｍａ−Ａｌｄｒｉｃｈから入手した（Ｌａｂ．Ｒｅａｇｅｎｔグレード、９９．３％）。これらの溶媒は、カラム精製システムを用いることによって乾燥させ、脱気した。このシステムでは、溶媒を、アルゴン（０．１〜１バール）でスパージし、そして加圧し、これに、活性アルミナを充填したカラムおよび、担持銅触媒（トルエン、ペンタン）か再び活性アルミナ（ＣＨ２Ｃｌ２）かを充填したどちらかの、第２カラムの逐次通過が続く。トルエンは、ＣａＨ２上でさらに乾燥させ、モレキュラーシーブ（３Å）上へ蒸留した。テトラヒドロフランは、ナトリウム上で乾燥させ、モレキュラーシーブ（３Å）上へ蒸留した。１Ｈおよび１３Ｃ核磁気共鳴スペクトルは、Ｂｒｕｋｅｒ  ＤＲＸ３００分光計で記録した。化学シフトは、デルタスケール（δ）で百万当たりの部（ｐｐｍ）単位で与えられ、テトラメチルシラン（１Ｈ−、１３Ｃ−ＮＭＲ＝０ｐｐｍ）またはＣＨＣｌ３の残存ピーク（１Ｈ−ＮＭＲ＝７．２６ｐｐｍ，１３Ｃ−ＮＭＲ＝７７．１６ｐｐｍ）を基準とする。ＮＭＲデータについての省略形は：ｓ＝シングレット；ｄ＝ダブレット；ｔ＝トリプレット；ｑ＝カルテット；ｓｅｐ＝セプテット；ｍ＝マルチプレット；ｂｓ＝幅広いシグナル；Ａｒ＝芳香族プロトンである。
【００６２】
ＵＶ−Ｖｉｓ分光光度データは、Ａｎａｌｙｔｉｋ  Ｊｅｎａ  ＳＰＥＣＯＲＤ  Ｓ  ６００  ＵＶ−Ｖｉｓ分光光度計で取得した。薄層クロマトグラフィー（ＴＬＣ）は、アルミニウムプレート上のシリカゲル６０Ｆ２５４（０．２ｍｍ）を使用して行った。分取クロマトグラフィー  Ｅ．Ｍｅｒｃｋシリカゲル６０（０．０６３〜０．０２メッシュ）。
【００６３】
ＧＣ実験は、オートサンプラーおよびＦＩＤ検出器のＣｌａｒｕｓ５００ＧＣで行った。カラム：Ｖａｒｉａｎ  ＣＰ−Ｓｉｌ８ＣＢ（ｌ＝１５ｍ、ｄｉ＝０．２５ｍｍ、ｄＦ＝１．０ｌｍ）、Ｎ２（流れ：１７ｃｍｓ−１；スプリット  １：５０）；注入器温度：２７０℃、検出器温度：３５０℃。
【００６４】
次の化合物は、文献手順に従って製造した：２−（Ｎ−フェニル）−アミノベンズアルデヒド、２，２−ジアリルマロン酸ジエチル、Ｎ，Ｎ−ジアリル−４−メチルベンゼンスルホンアミド。
【実施例】
【００６５】
実施例１
前駆体（Ｉａ）の製造
新規前駆体の製造は、式（Ｉａ）の前駆体について例示的に説明する。
【００６６】
ａ）２−（Ｎ−メチル−Ｎ−フェニル）−アミノベンズアルデヒド
１００ｍＬのＳｃｈｌｅｎｋフラスコ中で、２−（Ｎ−フェニル）−アミノベンズアルデヒド（０．４１ｇ、２．０８ミリモル）を乾燥した脱気ＤＭＦ（２０ｍＬ）に溶解させた。Ｃｓ２ＣＯ３（２．７１ｇ、８．３２ミリモル）を加え、懸濁液を室温で攪拌した。２時間後にヨウ化メチル（０．５２ｍＬ、８．３２ミリモル）を加え、反応混合物を一晩攪拌した。脱イオン水（２０ｍＬ）を加え、混合物をジエチルエーテル（３×５０ｍＬ）で抽出した。有機相をＭｇＳＯ４上で乾燥させ、真空で濃縮した。粗生成物を、カラムクロマトグラフィー（シクロヘキサン／酢酸エチル  ２０：１＋１％ＮＥｔ３）によって精製した。収量：０．４１ｇ（９３％）、黄色固体。１Ｈおよび１３Ｃ−ＮＭＲデータは、公表されたデータと一致した。
【００６７】
ｂ）２−（Ｎ−メチル−Ｎ−フェニル）−アミノスチレン
１００ｍＬのＳｃｈｌｅｎｋフラスコ中で、ＭｅＰＰｈ３Ｉ（３．１４ｇ、７．８ミリモル）およびＫＯｔＢｕ（０．８８ｇ、７．８ミリモル）を０℃で、乾燥した脱気ＴＨＦ（１０ｍｌ）に懸濁させた。混合物を２時間攪拌し室温まで温まるに任せた。その後、混合物を−６０℃に冷却し（ｉＰｒＯＨ／Ｎ２（液体））、乾燥した脱気ＴＨＦ（５ｍＬ）中の２−（Ｎ−メチル−Ｎ−フェニル）アミノベンズアルデヒド（０．４１ｇ、１．９ミリモル）の溶液を加えた。混合物を一晩攪拌し、その間にそれを周囲温度まで温まるに任せた。シリカ（１５ｍＬ）を反応混合物に加え、溶媒を真空で除去した。カラムクロマトグラフィー（シクロヘキサン／酢酸エチル  ２０：１ｖ／ｖ＋１％ＮＥｔ３）による精製は、所望の生成物を無色オイルとして与えた。収量：０．３６ｇ（９１％）。この無色オイルを、１Ｈ−ＮＭＲ（５００ＭＨｚ，ＣＤＣｌ３）および１３Ｃ−ＮＭＲ（１２６ＭＨｚ，ＣＤＣｌ３）ならびにＨＲＭＳによって分析した。
１Ｈ−ＮＭＲ（５００ＭＨｚ，ＣＤＣｌ３）：δ  ７．７２（ｄ，Ｊ＝７．０Ｈｚ，１Ｈ，ｏ−ＡｒＨ），７．４９−７．０７（ｍ，５Ｈ，ＡｒＨ），６．９８−６．７１（ｍ，２Ｈ，ＡｒＨ＋ＡｒＣＨ＝ＣＨ２），６．６５（ｄ，Ｊ＝７．９Ｈｚ，２Ｈ，ｏ−ＡｒＨ），５．７９（ｄ，Ｊ＝１７．７Ｈｚ，１Ｈ，ＡｒＣＨ＝ＣＨシスＨトランス），５．２７（ｄ，Ｊ＝１１．０Ｈｚ，１Ｈ，ＡｒＣＨ＝ＣＨシスＨトランス），３．２５（ｓ，３Ｈ，ＮＣＨ３）。
１３Ｃ−ＮＭＲ（１２６ＭＨｚ，ＣＤＣｌ３）：δ  １４９．６，１４６．４，１３６．３，１３３．２，１２９．５，１２９．０，１２８．６，１２６．６，１２６．５，１１７．３，１１５．３，１１３．５，３９．８。
ＨＲＭＳ：ｍ／ｚ  Ｃ１５Ｈ１５Ｎに対する計算値：２０９．１２０５；実測値：２０９．１１７７５。
【００６８】
実施例２
触媒（ＩＩａ）の製造
トルエン（２．５ｍＬ）中の２−（Ｎ−メチル−Ｎ−フェニル）アミノスチレン（７０ｍｇ、０．３２ミリモル）の溶液に、［（ＳＩＭｅｓ）（ｐｙ）ＲｕＣｌ２（３−フェニルインデニリデ−１−ン）］（２００ｍｇ、０．２７ミリモル；Ｕｍｉｃｏｒｅ  Ｍ３１，Ｕｍｉｃｏｒｅ  ＡＧ  ＆  Ｃｏ  ＫＧ，Ｈａｎａｕ）を加え、混合物を７５℃で１２０分間攪拌した。混合物を真空で濃縮し、カラムクロマトグラフィー（シクロヘキサン／アセトン  ７：１ｖ／ｖ＋０．５％ＮＥｔ３）によって精製した。得られた生成物をシクロヘキサンから再結晶し、所望の錯体を緑色微結晶固体として生成した。得られた生成物を、１Ｈ−ＮＭＲ（３００ＭＨｚ，ＣＤＣｌ３）、１３Ｃ−ＮＭＲ（７５ＭＨｚ，ＣＤＣｌ３）およびＨＲＭＳによって分析した。
ＲＦ（シクロヘキサン／アセトン  ７：１ｖ／ｖ＋０．５％ＮＥｔ３）＝０．１５。
１Ｈ−ＮＭＲ（３００ＭＨｚ，ＣＤＣｌ３）：δ  １７．００（ｓ，１Ｈ，ＲｕＣＨ），７．５９（ｔｄ，Ｊ＝８．０，１．５Ｈｚ，１Ｈ），７．３０（ｄ，Ｊ＝８．０Ｈｚ，１Ｈ，ｏ−ＡｒＨ），７．１９（ｔｄ，Ｊ＝７．５，１．０Ｈｚ，１Ｈ，ｍ−ＡｒＨ），７．１３−６．８８（ｍ，８Ｈ，ＡｒＨ），６．８０−６．７０（ｍ，２Ｈ，ＡｒＨ），４．０７（ｓ，４Ｈ，ＮＣＨ２ＣＨ２Ｎ），２．９１（ｓ，３Ｈ，ＮＣＨ３），２．７９−１．７０（ｍ，１８Ｈ，ｏ−ＡｒＣＨ３）。
１３Ｃ−ＮＭＲ（７５ＭＨｚ，ＣＤＣｌ３）：δ  ２９９．２，２１０．３，２０８．５，１５５．８，１５１．４，１４６．５，１３９．２，１３８．９，１３８．６，１２９．５，１２９．４，１２９．３，１２７．９，１２７．４，１２６．９，１２３．５，１２２．０，１２１．１，５３．８，５１．７，２１．３，１９．５。
Ｃ３５Ｈ３９Ｃｌ２Ｎ３Ｒｕに対する分析データ：
計算値：Ｃ：６２．４０；Ｈ：５．８４；Ｎ：６．２４。
実測値：Ｃ：６２．５３；Ｈ：５．９５；Ｎ：５．９６。
【００６９】
実施例３
触媒（ＩＩｂ）の製造
［（ＳＩＭｅｓ）（ｐｙ）ＲｕＣｌ２（３−フェニルインデニリデ−１−ン）］（１５０ｍｇ、０．２ミリモル；Ｕｍｉｃｏｒｅ  Ｍ３１）を、Ｓｃｈｌｅｎｋフラスコへ装入し、トルエン（２．５ｍＬ）をアルゴンの雰囲気下で加えた。この混合物を５０℃に加熱し、２−（Ｎ−エチル−Ｎ−フェニル）アミノスチレン（４２ｍｇ、０．１８ミリモル）を加えた。この混合物を５０℃で３時間攪拌した。この後、溶媒を真空で除去し、残りの固体をカラムクロマトグラフィー（短いカラム、酢酸エチル／シクロヘキサン、１：５、ｖ／ｖ）によって精製した。得られた生成物をペンタンで処理し、生じた懸濁液を−３５℃に冷却した。生成物を濾過によって集め、冷ペンタンで洗浄し、真空で乾燥させた。得られた生成物を、１Ｈ−ＮＭＲ（３００ＭＨｚ，ＣＤＣｌ３）、１３Ｃ−ＮＭＲ（７５ＭＨｚ，ＣＤＣｌ３）によって分析した。
１Ｈ−ＮＭＲ（３００ＭＨｚ，ＣＤＣｌ３）：δ＝１６．９３（ｓ，１Ｈ，Ｒｕ＝ＣＨ），７．５３（ｔ，Ｊ＝７．４Ｈｚ，１Ｈ），７．３３（ｄ，Ｊ＝７．９Ｈｚ，１Ｈ），７．１７（ｔ，Ｊ＝７．３Ｈｚ，２Ｈ），７．１２−７．０１（ｍ，５Ｈ），７．０１−６．８８（ｍ，５Ｈ），４．０５（ｓ，４Ｈ，ＮＣＨ２ＣＨ２Ｎ），３．６９−３．４９（ｍ，１Ｈ，ＣＨａＨｂＣＨ３），２．９５−２．７５（ｍ，１Ｈ，ＣＨａＨｂＣＨ３），２．６８−２．０９（ｍ，１８Ｈ，ＣＨ３），０．５５（ｔ，Ｊ＝６．８Ｈｚ，３Ｈ，ＣＨ２ＣＨ３）。
１３Ｃ−ＮＭＲ（７５ＭＨｚ，ＣＤＣｌ３）：δ＝３００．６０，２１０．５３，１９６．５７，１５７．８３，１４８．００，１４３．９３，１３９．１４（ｂｒ．），１３８．６８（ｂｒ．），１３８．５２，１２９．５６，１２９．３０，１２８．６８，１２７．６０，１２７．０２，１２３．２４，１２１．３１，１２１．０１，５６．７７，５１．６６，２１．３１，１９．５５（ｂｒ．），１１．２４。
【００７０】
実施例４
触媒（ＩＩｃ）の製造
［（ＳＩＰｒ）（ｐｙ）ＲｕＣｌ２（３−フェニルインデニリデ−１−ン）］錯体（１５０ｍｇ、０．１８ミリモル；Ｕｍｉｃｏｒｅ  Ｍ３２，Ｕｍｉｃｏｒｅ  ＡＧ  ＆  Ｃｏ  ＫＧ，Ｈａｎａｕ）を含有するＳｃｈｌｅｎｋチューブを３回排気し、アルゴンでバックフィルした。トルエン（１．６６ｍｌ）、ｎ−ヘキサン（０．８３ｍｌ）およびトルエン（２．５ｍＬ）中の２−（Ｎ−メチル−Ｎ−フェニル）−アミノスチレン（＝Ｎ−メチル−Ｎ−フェニル）−２−ビニルアニリン；４１．４ｍｇ、０．１９８ミリモル）をアルゴンの雰囲気下で加えた。この混合物を７０℃で１２０分間加熱した。揮発性物質を真空で除去し、残留物をカラムクロマトグラフィー（シクロヘキサン／ＥｔＯＡｃ、４：１ｖ／ｖ）によって精製した。生成物をペンタン（３ｍｌ）で処理し、懸濁液を−３５℃に冷却した。濾過および冷ペンタンでの洗浄後に、所望の錯体が微結晶緑色固体として得られた。この化合物は、１Ｈ−および１３Ｃ−ＮＭＲ分光法によってキャラクタリゼーションした。
【００７１】
実施例５
触媒（ＩＩｄ）の製造
［（ＩＰｒ）（ｐｙ）ＲｕＣｌ２（３−フェニルインデニリデ−１−ン）］錯体（１５０ｍｇ、０．１８ミリモル）を含有するＳｃｈｌｅｎｋチューブを３回排気し、アルゴンでバックフィルした。トルエン（１．６６ｍｌ）、ｎ−ヘキサン（０．８３ｍｌ）およびトルエン（２．５ｍＬ）中の（Ｎ−メチル−Ｎ−フェニル）−２−ビニルアニリン（４１．４ｍｇ、０．１９８ミリモル）をアルゴンの雰囲気下で加えた。この混合物を７０℃で１２０分間加熱した。揮発性物質を真空で除去し、残留物をカラムクロマトグラフィー（シクロヘキサン／ＥｔＯＡｃ、５：１ｖ／ｖ）によって精製した。生成物をペンタン（３ｍｌ）で処理し、懸濁液を−３５℃に冷却した。濾過および冷ペンタンでの洗浄後に、所望の錯体が微結晶緑色固体として得られた。この化合物は、１Ｈ−および１３Ｃ−ＮＭＲ分光法によってキャラクタリゼーションした。
【００７２】
触媒試験
新規触媒を、閉環メタセシス反応（ＲＣＭ）で例示的に評価した。さらに、活性を、先行技術から公知のプレ触媒、すなわち、上に示された式（ｂ）および（ｃ）の触媒と比較した。
【００７３】
閉環メタセシス（ＲＣＭ）の結果
式（ＩＩａ）、（ＩＩｂ）、（ＩＩｃ）の触媒を、Ｎ−複素環化合物をもたらす多数の閉環メタセシス反応について系統的に試験した。先行技術触媒（（ｂ）および（ｃ））との比較を行った。
【００７４】
閉環反応は、１５分の反応時間で５０℃にてトルエン中で実施した。基質は、実施例番号２（ここでは、基質濃度は０．１モル／Ｌである）を除いて０．５モル／Ｌの量で存在した。反応は、５０℃でアルゴンの雰囲気下で、密封した１０ｍＬのＳｃｈｌｅｎｋチューブで実施した。１０ｍＬのＳｃｈｌｅｎｋチューブ中で、基質をアルゴンの雰囲気下で乾燥トルエン（２ｍＬ）に溶解させた。この溶液を５０℃に加熱し、触媒を、トルエン中の原液（たとえば式（ＩＩａ）：［Ｒｕ］＝３．０ミリモル／Ｌまたは０．７５ミリモル／Ｌ）から添加した。基質転化率の測定のために、試料（５０μＬ）を、アルゴンの流れ下で指定時間後に採取した。試料を、トルエン中２５％（ｖ／ｖ）エチルビニルエーテル溶液の２５０μＬを含有するガスクロマトグラフィーバイアルへ注入し、ガスクロマトグラフィーによって分析した。生成物は、ペンタン／ジエチルエーテルの混合物を溶離液として使用するカラムクロマトグラフィー（シリカ）によって単離した。転化度は、２つの実験の平均転化率である。結果を表１に提示する。
【００７５】
試験された触媒は、２５〜２００ｐｐｍの触媒使用量を用いて、基質の優れた転化率（６５％以上）を可能にする。それによって、式（ＩＩａ）および（ＩＩｃ）の触媒は（ＩＩｂ）よりも効率的であることが分かった。先行技術触媒（ｂ）および（ｃ）と比較して、本発明の触媒は、ＲＣＭおよび様々な他のメタセシス反応で向上した活性を示す。
【００７６】
【表１】
2015516868.tif 000013
【００７７】
低い触媒使用量は別として、かかる反応のために必要とされる短い時間が最も注目に値する−研究された反応のすべてが１５分未満内で完了する。
【００７８】
ＴＯＮおよびＴＯＦを、基質番号１および２５ｐｐｍの触媒使用量について計算した。したがって、触媒（ＩＩａ）を使用することによって、３．６×１０４のＴＯＮおよび１．３×１０５ｈ−１のＴＯＦが観察された。これは、先行技術に対してかなりの改善である。
【００７９】
先行技術触媒での比較試験
様々なオレフィン濃度（ジアリルマロン酸ジエチル；ＤＥＤＡＭ）での式（ＩＩａ）の触媒ならびに当該技術から公知の式（ｂ）および（ｃ）触媒の開始速度を、Ｐｌｅｎｉｏらによって報告された方法（Ｖｏｒｆａｌｔ，Ｔ．，Ｗａｎｎｏｗｉｕｓ，Ｋ．Ｊ．，Ｐｌｅｎｉｏ，Ｈ．，Ａｎｇｅｗ．Ｃｈｅｍ．，Ｉｎｔ．Ｅｄ．２０１０，４９，５５３３−５５３６）に従って測定した。開始プロセスを、ＵＶ／Ｖｉｓスペクトルを記録することによって監視して経時的にスペクトル変化を追跡した。
【００８０】
０℃でのジアリル−Ｎ−トシルアミドのＲＣＭで、式（ＩＩａ）のプレ触媒は、先行技術触媒（ｂ）および（ｃ）よりも著しく速い。低温で速い開始は、かなりより遅く開始する、当該技術から公知の触媒（ｂ）および（ｃ）と比べて優れた触媒活性につながる。図１は、ＲＣＭ反応の結果を示す。
【００８１】
ＲＣＭ反応を迅速に触媒する式（ＩＩａ）の触媒の能力はまた、ＤＥＤＡＭ反応についても明らかである。図２に、１０００ｐｐｍの式（ＩＩａ）、（ｃ）および（ｂ）の触媒を使用するトルエン中のＤＥＤＡＭのＲＣＭ反応の結果を提示する。式（ＩＩａ）の触媒では、完全な基質転化が約１０分以内で達成されるが、式（ｃ）の触媒はおおよそ１０倍より長い時間を必要とし、式（ｂ）の触媒は完全な転化に達するように見えない。これらの結果は、式（ＩＩａ）の触媒の主な利点がＲＣＭ変換のために必要とされる短い時間であることを実証している。
【００８２】
さらに、触媒性能への温度の強い影響が注目される。０℃ではジアリル−Ｎ−トシルアミドのＲＣＭで約８４％収率を得るために、１２０分の反応時間で約１０００ｐｐｍの式（ＩＩａ）の触媒が必要とされる。５０℃では同じ収率は、たったの２５ｐｐｍの式（ＩＩａ）の触媒を使用して１５分以内で得られる（表１を参照されたい）。
【００８３】
第二級アミン配位子を含有する先行技術触媒での比較試験
第二級アミンキレート配位子を含有するルテニウム触媒は、Ｇｒｅｌａらによって報告されている（Ｚｕｋｏｗｓｋａ，Ｋ．，Ｓｚａｄｋｏｗｓｋａ，Ａ．，Ｐａｚｉｏ，Ａ．Ｅ．，Ｗｏｚｎｉａｋ，Ｋ．，Ｇｒｅｌａ，Ｋ．，Ｏｒｇａｎｏｍｅｔａｌｌｉｃｓ  ２０１２，３１，４６２−４６９）。本出願の序論セクションに概要を述べられているように、これらの触媒は、水素原子と、メチル、ベンジルまたは４−ニトロベンジルから選択されてもよい、結合アルキル基とを有するキレート第二級アミン基を含む。
【００８４】
これらの先行技術触媒に対して本発明の触媒の向上した反応性を実証するために、基質２−メタリル−アリルマロン酸ジエチルの閉環メタセシス反応（ＲＣＭ）を含む、さらなる比較試験を行った。
【００８５】
触媒ＩＩａ（本発明による）は、ｃ＝０．５モル／Ｌの基質濃度でトルエン溶媒中１００ｐｐｍ（０．０１モル％）の触媒使用量で用いた。５０℃の反応温度で１５分の反応時間後に、９５％の基質転化率が得られた（ＧＣによって測定された、２実験にわたっての平均）。
【００８６】
同一の基質（メタリル−アリルマロン酸ジエチル）でのＲＣＭ反応について、Ｇｒｅｌａらは、５モル％の触媒使用量およびｃ＝０．１モル／Ｌの基質濃度でＮ−キレートＨｏｖｅｙｄａ型触媒１５ｃ（ベンジル基とともに第二級アミンとＳＩＭＥＳ配位子とを含有する）を使用して８時間の反応時間後に４５％の転化率を報告した（Ｇｒｅｌａら、セクション２．２、表２、エントリーＶ、ページ４６４−４６５（上に引用した論文）を参照されたい）。他の反応条件（溶媒、温度）は同一であるので、これらの結果は、本発明のＮ−キレート型ジアリールアミノベースのルテニウム触媒の高い反応性、特に速い開始挙動を明確に示している。低い触媒使用量が広範囲の基質を短い反応時間内でメタセシス反応において変換するのに十分である。
【図１】
2015516868.tif 000025
【図２】
2015516868.tif 000026
【図３】
2015516868.tif 000027
【国際調査報告】
2015516868.tif 000028